(57)【要約】 【課題】放送ストリームを再エンコードするなどのダビング時に、再エンコードの利点を活かした高画質化が充分でない。【解決手段】放送ストリームのデコード時に、フィルム検出を行い、フィルム検出結果を再エンコード時に、元の映像信号にタイミングを合わせて、エンコードデータとして書き込む。再生時に、前記のフィルム検出データを読み出し、ＩＰ変換処理に使用することにより、より高画質な再生が可能となる。【選択図】図１
2010258959.tif 000002
【特許請求の範囲】
【請求項１】
圧縮された映像信号を取得する取得手段と、
当該取得した映像信号をデコードして複数のフィールド信号を生成し、当該複数のフィールド信号を順次出力するデコード手段と、
当該デコード手段から出力された任意のフィールド信号が、当該フィールド信号の前又は後に出力されたフィールド信号と所定の関連を示すか否かを判別する判別手段と、
前記デコード手段から順次出力されたフィールド信号をエンコードして、エンコードストリームを生成するエンコード手段と、
前記判別手段の判別結果を関連情報として、前記生成されたエンコードストリームに書き込む書込み手段と、
前記生成されたエンコードストリームを記憶媒体に記憶する記憶手段と、
を備える記録装置。
【請求項２】
圧縮された映像信号を取得する取得手段と、
当該取得した映像信号をデコードして複数のフィールド信号を生成し、当該複数のフィールド信号を順次出力するデコード手段と、
当該デコード手段から出力された任意のフィールド信号が、当該フィールド信号の前又は後に出力されたフィールド信号と所定の関連を示すか否かを判別する判別手段と、
前記デコード手段から順次出力されたフィールド信号をエンコードして、エンコードストリームを生成するエンコード手段と、
前記判別手段の判別結果を関連情報として、前記生成されたエンコードストリームのうち、当該判別に用いられたフィールド信号の前に出力されたフィールド信号に関する領域に書き込む書込み手段と、
前記生成されたエンコードストリームを記憶媒体に記憶する記憶手段と、
を備える記録装置。
【請求項３】
請求項１又は２に記載の記録装置によって記憶媒体に記憶された関連情報を含むエンコードストリームを、当該記憶媒体から読み出す読出手段と、
前記読み出したエンコードストリームから関連情報を取得する取得手段と、
前記読み出されたエンコードストリームをデコードして複数のフィールド信号を生成し、当該複数のフィールド信号を順次出力するデコード手段と、
前記取得した関連情報に応じて、前記順次出力されたフィールド信号に所定の処理を施し、表示装置に出力する出力手段と、
を備える再生装置。
【発明の詳細な説明】
【技術分野】
【０００１】
本発明は、BD、ＤＶＤやハードディスクなどを用いたＭＰＥＧ圧縮方式の記録装置に関するものである。
【背景技術】
【０００２】
BDレコーダーやＤＶＤレコーダーは、ハードディスク（ＨＤＤ）を搭載したハードディスク一体型のものが主流になっている。（例えば非特許文献１参照）
BDレコーダーと表記した場合、ハードディスク一体型BＤレコーダーも含んでいる。
BDレコーダーには、デジタル放送のストリームをそのまま記録するモード（DRモード）や、再エンコードして、MPEGで記録するモードがある。MPEGで記録するには、放送ストリームをデコードし、デコードした映像信号を再度MPEGエンコードすることになる。図２は、従来の映像記録装置の映像処理部の一部を示すブロック図である。図２を用いて、デジタル放送のストリームを再エンコードする処理について説明する。ＭＰＥＧデコードやＭＰＥＧエンコードは、映像だけでなく、音声の処理などについても行われるが、音声の処理など、本発明に直接関係のない部分については、省略して説明する。
デジタル放送のＲＦ信号がチューナー２０１に入力され、選局されたチャンネルのＭＰＥＧストリームが出力される。チューナー２０１から出力されるＭＰＥＧストリームは、ストリーム制御２０２に入力される。記録する場合には、ストリーム制御から出力されたＭＰＥＧストリームが、ＢＤ／ＨＤＤドライブ２０３に入力され、ＢＤあるいは、ＨＤＤに記録される。
記録されたＭＰＥＧストリームを再生する場合には、ＢＤ／ＨＤＤドライブ２０３からＭＰＥＧストリームが出力され、ストリーム制御２０２に入力される。つぎに、ストリーム制御２０２から、ＭＰＥＧストリームが出力され、ＭＰＥＧデコーダー２０４に入力される。ＭＰＥＧデコーダー２０４に入力されたＭＰＥＧストリームは、ＭＰＥＧデコードされて、フィールド信号を順次作成し、インターレースの映像信号になる。ＭＰＥＧデコーダー２０４からは、インターレースの映像信号が出力される。インターレースの映像信号は、フィルム検出２０６に入力される。フィルム検出２０６では、入力されたフィールド信号と、当該フィールド信号の前又は後に出力されたフィールド信号との関係から、フィルム素材かビデオ素材かを検出し、検出結果を出力する。このフィルム検出で、検出するフィルム素材とは、ＮＴＳＣの６０Ｈｚ系では、２４ｐ素材を３：２プルダウンしたもの、３０ｐ素材を２：２プルダウンしたものであり、ＰＡＬの５０Ｈｚ系では、２５ｐ素材を２：２プルダウンしたものである。フィルム素材かどうかを判別するためには、複数のフィールド間の関係を見る必要があり、判別結果が出るまでに、一定の時間が必要となる。
ＩＰ変換２０７では、ＭＰＥＧデコーダー２０４からのインターレースの映像信号と、フィルム検出２０６からの検出結果が入力される。ＩＰ変換２０７では、フィルム検出結果に基づいて、インターレースの映像信号をプログレッシブの映像信号に変換する。ＩＰ変換２０７からは、プログレッシブの映像信号が出力される。
記録された信号を再エンコードする場合には、ＢＤ／ＨＤＤドライブ２０３からＭＰＥＧストリームが出力され、ストリーム制御２０２に入力される。つぎに、ストリーム制御２０２から、ＭＰＥＧストリームが出力され、ＭＰＥＧデコーダー２０４に入力される。ＭＰＥＧデコーダー２０４に入力されたＭＰＥＧストリームは、ＭＰＥＧデコードされて、インターレースの映像信号になる。ＭＰＥＧデコーダー２０４からは、インターレースの映像信号が出力され、ＭＰＥＧエンコーダー２０５に入力される。ＭＰＥＧエンコーダー２０５では、入力されたインターレースの映像信号をＭＰＥＧエンコードし、ＭＰＥＧストリームが作成される。ＭＰＥＧエンコーダー２０５から、ＭＰＥＧストリームが出力され、ストリーム制御２０２に入力される。ストリーム制御２０２から出力されたＭＰＥＧストリームは、ＢＤ／ＨＤＤドライブ２０３に、記録される。
再エンコードされたＭＰＥＧストリームを再生する場合には、上記で説明した再生時の
手順と同じように、再生の処理が行われる。
【先行技術文献】
【非特許文献】
【０００３】
【非特許文献１】Ｐａｎａｓｏｎｉｃ（登録商標）BDレコーダー  ＤＭＲ−BW930取扱説明書
【発明の概要】
【発明が解決しようとする課題】
【０００４】
しかしながら、上述のような映像記録装置では、再生時のＩＰ変換は、フィルム検出結果から、ＩＰ変換を行うが、フィルム検出およびＩＰ変換は、ともにＭＰＥＧデコーダーの出力を元に行う。また、フィルム検出を行うには、複数のフィールド間の差分を見る必要があるため、フィルム検出に要する時間分だけ、検出結果が遅延するため、ＩＰ変換する映像の処理とタイミングがずれてしまうという課題を有していた。この課題は、再エンコードしたストリームを再生する場合にも同じであった。
【０００５】
本発明は、前記従来の課題を解決するもので、再エンコードしたストリームのＩＰ変換の性能を改善する映像記録装置を提供することを目的とする。
【課題を解決するための手段】
【０００６】
前記従来の課題を解決するために、本発明の映像記録装置は、圧縮された映像信号を取得する取得手段と、
当該取得した映像信号をデコードして複数のフィールド信号を生成し、当該複数のフィールド信号を順次出力するデコード手段と、
当該デコード手段から出力された任意のフィールド信号が、当該フィールド信号の前又は後に出力されたフィールド信号と所定の関連を示すか否かを判別する判別手段と、
前記デコード手段から順次出力されたフィールド信号をエンコードして、エンコードストリームを生成するエンコード手段と、
前記判別手段の判別結果を関連情報として、前記生成されたエンコードストリームに書き込む書込み手段と、
前記生成されたエンコードストリームを記憶媒体に記憶する記憶手段と、を備える。
本構成によって、再エンコード時に、フィルム検出結果を検出した映像と同じタイミングで、エンコードストリームにフィルム検出結果を書き込むことにより、この検出結果を再生時に、読み出して、使用することにより、より高画質な再生ができる。
【発明の効果】
【０００７】
以上説明したところから明らかなように、本発明は、再エンコード時に、フィルム検出情報をストリームに書き込み、再生時にそれを使用することにより、より高画質な再生が可能となる。
【図面の簡単な説明】
【０００８】
【図１】本発明の実施の形態１における映像記録装置を示す図
【図２】従来の映像記録装置を示す図
【発明を実施するための形態】
【０００９】
以下に、本発明の実施するための最良の形態について、図面を参照しながら説明する。
【００１０】
（実施の形態１）
図１は、本発明の実施の形態１における映像記録装置の映像処理部の一部を示すブロック図である。図１を用いて、デジタル放送のストリームを再エンコードする処理について説明する。ＭＰＥＧデコードやＭＰＥＧエンコードは、映像だけでなく、音声の処理などについても行われるが、音声の処理など、本発明に直接関係のない部分については、従来例と同様に、省略して説明する。
デジタル放送のＲＦ信号がチューナー１０１に入力され、選局されたチャンネルのＭＰＥＧストリームが出力される。チューナー１０１から出力されるＭＰＥＧストリームは、ストリーム制御１０２に入力される。記録する場合には、ストリーム制御から出力されたＭＰＥＧストリームが、ＢＤ／ＨＤＤドライブ１０３に入力され、ＢＤあるいは、ＨＤＤに記録される。
記録されたＭＰＥＧストリームを再生する場合には、ＢＤ／ＨＤＤドライブ１０３からＭＰＥＧストリームが出力され、ストリーム制御１０２に入力される。つぎに、ストリーム制御１０２から、ＭＰＥＧストリームが出力され、ＭＰＥＧデコーダー１０４に入力される。ＭＰＥＧデコーダー１０４に入力されたＭＰＥＧストリームは、ＭＰＥＧデコードされて、フィールド信号を順次作成し、インターレースの映像信号になる。ＭＰＥＧデコーダー１０４からは、インターレースの映像信号が出力される。インターレースの映像信号は、フィルム検出１０６に入力される。フィルム検出１０６では、入力されたフィールド信号と、当該フィールド信号の前又は後に出力されたフィールド信号との関係から、フィルム素材かビデオ素材かを検出し、検出結果を出力する。ＩＰ変換１０７では、ＭＰＥＧデコーダー１０４からのインターレースの映像信号と、フィルム検出１０６からの検出結果が入力される。ＩＰ変換１０７では、フィルム検出結果に基づいて、インターレースの映像信号をプログレッシブの映像信号に変換する。ＩＰ変換１０７からは、プログレッシブの映像信号が出力される。
記録された信号を再エンコードする場合には、ＢＤ／ＨＤＤドライブ１０３からＭＰＥＧストリームが出力され、ストリーム制御１０２に入力される。つぎに、ストリーム制御１０２から、ＭＰＥＧストリームが出力され、ＭＰＥＧデコーダー１０４に入力される。ＭＰＥＧデコーダー１０４に入力されたＭＰＥＧストリームは、ＭＰＥＧデコードされて、インターレースの映像信号になる。ＭＰＥＧデコーダー１０４からは、フィールド信号を順次作成し、インターレースの映像信号が出力される。フィルム検出１０６では、ＭＰＥＧデコーダー１０４からのインターレースの映像信号が入力され、入力されたフィールド信号と、当該フィールド信号の前又は後に出力されたフィールド信号との関係から、フィルム素材かビデオ素材かを検出し、フィルム検出結果を出力する。ＭＰＥＧエンコーダー１０５には、ＭＰＥＧデコーダー１０４からのインターレースの映像信号と、フィルム検出１０６からのフィルム検出結果が入力される。ＭＰＥＧエンコーダー１０５では、入力されたインターレースの映像信号をＭＰＥＧエンコードし、かつ、フィルム検出結果を元の映像信号に合わせて書き込んだＭＰＥＧストリームが、作成される。ＭＰＥＧエンコーダー１０５から、ＭＰＥＧストリームが出力され、ストリーム制御１０２に入力される。ストリーム制御１０２から出力されたＭＰＥＧストリームは、ＢＤ／ＨＤＤドライブ１０３に、記録される。
再エンコードされたＭＰＥＧストリームを再生する場合には、ＢＤ／ＨＤＤドライブ１０３からＭＰＥＧストリームが出力され、ストリーム制御１０２に入力される。つぎに、ストリーム制御１０２から、ＭＰＥＧストリームが出力され、ＭＰＥＧデコーダー１０４に入力される。ＭＰＥＧデコーダー１０４に入力されたＭＰＥＧストリームは、ＭＰＥＧデコードされて、インターレースの映像信号になる。ＭＰＥＧデコーダー１０４からは、インターレースの映像信号が出力される。また、フィルム検出情報読み取り１０８に、ストリーム制御１０２からＭＰＥＧストリームが入力され、フィルム検出情報を読み出す。フィルム検出情報読み取り１０８から、フィルム検出結果が出力される。ＩＰ変換１０７では、ＭＰＥＧデコーダー１０４からのインターレースの映像信号と、フィルム検出情報読み取り１０８からの検出結果が入力される。ＩＰ変換１０７では、フィルム検出結果に基づいて、インターレースの映像信号をプログレッシブの映像信号に変換する。ＩＰ変換１０７からは、プログレッシブの映像信号が出力される。
【産業上の利用可能性】
【００１１】
本発明にかかる映像記録装置は、再エンコードした記録映像の高画質な再生が可能であり、ＤＶＤやハードディスクなどを用いたＭＰＥＧ圧縮方式の映像記録装置として有用である。
【符号の説明】
【００１２】
１０１    チューナー
１０２    ストリーム制御
１０３    ＢＤ／ＨＤＤドライブ
１０４    ＭＰＥＧデコーダー
１０５    ＭＰＥＧエンコーダー
１０６    フィルム検出
１０７    ＩＰ変換
１０８    フィルム検出情報読み取り
２０１    チューナー
２０２    ストリーム制御
２０３    ＢＤ／ＨＤＤドライブ
２０４    ＭＰＥＧデコーダー
２０５    ＭＰＥＧエンコーダー
２０６    フィルム検出
２０７    ＩＰ変換
【図１】
2010258959.tif 000003
【図２】
2010258959.tif 000004